(57)【特許請求の範囲】
【請求項１】
折曲成形可能な板材にて両側端部に所要の角度の側方突出部を有し、かつ上方に一対の垂直部を有すると共に、下方にこの垂直部の延長線上に所要の角度の頂部を形成した下方突出部を有する張出部をそれぞれ形成し、前記一対の垂直部間に一対の山形状突出部を連続して形成し、さらに前記下方突出部間に係止鈎部を周辺に有する隅飾り部を突出形成してなる屋根用隅飾り具本体を形成し、さらに前記一対の上方垂直部と下方突出部の頂部とを結ぶ線上を互いに表面側にそれぞれ折曲し、かつ前記一対の上方山形状突出部の頂部の延長線上を互いに裏面側にそれぞれ折曲し、さらに前記隅飾り部の係止鈎部を裏面側にそれぞれ重合折曲して屋根用隅飾り具を製造することを特徴とする屋根用隅飾り具の製造方法。
【請求項２】
請求項１記載の屋根用隅飾り具の製造方法において、前記屋根用隅飾り具本体における隅飾り部の係止鈎部を裏面側にそれぞれ複数回重合折曲形成したことを特徴とする屋根用隅飾り具の製造方法。
【請求項３】
請求項１記載の屋根用隅飾り具の製造方法において、前記屋根用隅飾り具本体における隅飾り部の係止鈎部に係止片部を適宜形成したことを特徴とする屋根用隅飾り具の製造方法。
【発明の詳細な説明】
【０００１】
【産業上の利用分野】
本発明は、屋根用隅飾り具の製造方法に関するものである。
【０００２】
【従来の技術】
従来の第１の屋根用隅飾り具としては、図１１の斜視図に示すように折曲可能な薄金属板をもって下端に係止部５０ａを折曲形成した化粧カバー５０を形成し、これを降り棟を中心として、切り揃えた金属屋根板５１，５１の両側端部の隙間に差し込んで、前記化粧カバー５０の係止部５０ａを前記金属屋根板５１，５１の下縁５１ａ，５１ａに係止取付けている。
また、従来の第２の屋根用隅飾り具としては、図１２の組立断面図に示すようなものがある。すなわち、この図においては、所要の角度を有する降り棟の裏板５２の上に、一対の棟板５３を固定し、この棟板５３の上から折曲可能な薄金属板をもって同図示のように形成した屋根用隅飾り具５４を嵌合して金属屋根板５５，５５を共に挟み包んでいる。
また、従来の第３の屋根用隅飾り具として、図１３の概略断面図に示すようなものがある。すなわち、この図においては、現場でハゼ組み加工をするものであり、折曲可能な薄金属板をもって同図示のように差し込み側部分５６とハゼ側部分５７とからるように折曲形成されている。
【０００３】
【発明が解決しようとする課題】
ところが、上記第１の従来技術で製造された屋根用隅飾り具は、施工に手間が掛かり、水漏れなども発生しやすい問題点があった。
また、上記第２の従来技術で製造された屋根用隅飾り具は、部品点数が多く、施工が厄介であり、コスト高となり、金属屋根板５５の伸縮によって屋根用隅飾り具５４が破壊する恐れがあり、強度的に弱く、水漏れなども発生しやすいなどの問題点があった。
また、上記第３の従来技術で製造された屋根用隅飾り具は、現場での加工が厄介であり、組立施工も面倒で、熟練工の手間が掛かるなどの問題点があった。
【０００４】
【課題を解決するための手段】
本発明の屋根用隅飾り具の製造方法は、上記課題を解決することを目的とし、折曲成形可能な板材にて両側端部に所要の角度の側方突出部を有し、かつ上方に一対の垂直部を有すると共に、下方にこの垂直部の延長線上に所要の角度の頂部を形成した下方突出部を有する張出部をそれぞれ形成し、前記一対の垂直部間に一対の山形状突出部を連続して形成し、さらに前記下方突出部間に係止鈎部を周辺に有する隅飾り部を突出形成してなる屋根用隅飾り具本体を形成し、さらに前記一対の上方垂直部と下方突出部の頂部とを結ぶ線上を互いに表面側にそれぞれ折曲し、かつ前記一対の上方山形状突出部の頂部の延長線上を互いに裏面側にそれぞれ折曲し、さらに前記隅飾り部の係止鈎部を裏面側にそれぞれ重合折曲して屋根用隅飾り具を製造することを特徴とする。
【０００５】
また、前記屋根用隅飾り具の製造方法において、前記屋根用隅飾り具本体における隅飾り部の係止鈎部を裏面側にそれぞれ複数回重合折曲形成したことを特徴とする。
【０００６】
また、前記屋根用隅飾り具の製造方法において、前記屋根用隅飾り具本体における隅飾り部の係止鈎部に係止片部を適宜形成したことを特徴とする。
【０００７】
【発明の実施の形態】
以下、本発明の屋根用隅飾り具の製造方法の実施の形態を一実施例について詳細に説明するが、本発明は以下の一実施例に限定されるものではなく、その実施態様を多少変えるように設計変更することは可能である。
図１〜図８は、本発明の一実施例を示し、図１は、本発明の屋根用隅飾り具を製造するための折曲可能な板材からなる屋根用隅飾り具本体の一実施例を示す展開平面図である。図２は屋根用隅飾り具本体における一対の上方垂直部と下方突出部の頂点とを結ぶ線上を互いに表面側にそれぞれ折曲し、かつ一対の上方山形状突出部の頂部の延長線上を互いに裏面側にそれぞれ折曲した状態を示す表面図であり、図３は、同裏面図である。図４は、さらに隅飾り部の係止鈎部を裏面側にそれぞれ重合折曲した状態を示す表面図であり、図５は、同裏面図である。図６は、中心線部を降り棟の角度に対応する角度に折曲した状態を示す表面図であり、図７は、同正面図である。図８は、本発明の製造方法により製造した屋根用隅飾り具を寄棟屋根の降り棟に使用した状態を示す斜視図である。
【０００８】
１０は、折曲可能な板材からなる屋根用隅飾り具本体（例えば所要厚の金属板、プラスチック板、その他適宜の材質からなる板材）で、図１に示すような展開状態においては、両側端部に所要の角度の側方突出部１１を有し、かつ上方に一対の垂直部１２を有すると共に、下方にこの垂直部１２の延長線上に所要の角度の頂部を形成し下方突出部１３を有する張出部１４をそれぞれ形成し、前記一対の垂直部１２間に一対の山形状突出部１５を連続して形成し、さらに前記下方突出部１３間に係止鈎部１６を周辺に一体に有する隅飾り部１７を突出形成している。
前記隅飾り部１７の係止鈎部１６には、２つの第１係止片部１８および第２係止片部１９が一体に形成している。
図１に示す２０，２０、２１，２１、２２，２２、２３，２３は、それぞれ各仮想折曲線である。
なお、第１係止片部１８、第２係止片部１９の形状や数量や位置は、必要に応じて適宜変えられること勿論である。
【０００９】
このような折曲可能な板材からなる屋根用隅飾り具本体１０を図２〜図３に示すように前記一対の上方垂直部１２と下方突出部１３の頂部１３ａとを結ぶ線上の図１に示す第１仮想折曲線２０，２０を互いに表面側にそれぞれ折曲すると共に、前記一対の上方山形状突出部１５の頂部１５ａの延長線上の図１に示す第２仮想折曲線２１，２１を互いに裏面側にそれぞれ折曲して、隅飾り重合部２５，２５を形成する。
【００１０】
次に、図４〜図５に示すように、前記隅飾り部１７の係止鈎部１６を、図１に示す第３仮想折曲線２２，２２および第４仮想折曲線２３，２３の部分にて裏面側にそれぞれ複数回重合折曲すると共に、前記隅飾り部１７の係止鈎部１６に一体に適宜形成している２つの第１係止片部１８、第２係止片部１９を内側にそれぞれ折曲係止する。
【００１１】
次に、図６〜図７に示すように、その中心線部２６を図８に示す例えば寄棟屋根２７の降り棟２７ａの角度に対応する所定の角度に折曲することにより、一枚板からなる屋根用隅飾り具２４を得る。
このようにして製造され屋根用隅飾り具２４は、一枚板で形成されているので、部品数が少なくてすみ、加工も容易で、かつ安価に供給できる。また、前記屋根用隅飾り具２４は、予め工場で製造しておくことにより施工に当たっては、ワンタッチ工程で手間が掛からないなどの効果がある。
また、前記屋根用隅飾り具２４を使用すれば、屋根板のつなぎが容易となり、化粧飾りとしても優れている。
【００１２】
図９〜図１０は、本発明により製造された屋根用隅飾り具２４を使用して寄棟屋根２７を施工する第１および第２の手順について説明するための部分説明図である。
前記屋根用隅飾り具２４を、前記寄棟屋根２７の降り棟２７ａに順次取付ける場合は、まず、図９に示すように、最下位の屋根用隅飾り具２４を、降り棟２７ａの屋根下地板２８の上に載置し、前記隅飾り重合部２５，２５と前記張出部１４，１４との間にそれぞれ形成されている間隙に、長尺状金属屋根板２９，２９を左右からそれぞれ挿入し、これらの長尺状金属屋根板２９，２９のエッジ部２９ａ，２９ａを、屋根取付け金具３０，３０を介して釘などで屋根下地板２８にそれぞれ固定する。
【００１３】
次に、図１０に示すように、前記最下位の屋根用隅飾り具２４の次に同様の屋根用隅飾り具２４を降り棟２７ａの屋根下地板２８の上に載置して、同様に前記隅飾り重合部２５，２５と前記張出部１４，１４との間にそれぞれ形成されている間隙に、長尺状金属屋根板２９，２９を左右からそれぞれ挿入し、これらの長尺状金属屋根板２９，２９のエッジ部２９ａ，２９ａを、屋根取付け金具３０，３０を介して釘などで屋根下地板２８，２８にそれぞれ固定する。
このように、前記屋根用隅飾り具２４および長尺状金属屋根板２９，２９を順次最上部まで葺上げて図８に示すような寄棟屋根２７を施工する。
したがって、施工にあたっては、現場で板金加工を要しないから、ワンタッチ工程で極めて簡単となり、熟練工の手間を煩わせないなどの効果がある。
【００１４】
【発明の効果】
本発明によれば、屋根用隅飾り具を、一枚板で容易に形成することができるので部品数が少なくてすみ、加工が容易で、かつ予め工場で製作できるので安価に供給できると共に、施工に際してもワンタッチ工程で手間が掛からないなどの効果がある。
また、施工後に雨水が浸入しにくくなり、屋根板のつなぎが容易となり、化粧飾りとしても優れているなどの効果がある。
【００１５】
また、さらに前記屋根用隅飾り具本体における隅飾り部の係止鈎部に係止片部を適宜形成しているので、この係止片部を内側に折曲することにより前記係止鈎部を裏面側に確実に重合折曲して固定することができ、機械的強度を向上させると共に、屋根用隅飾り具としての纏まりが良くなり、作業上の取扱いも簡便となるなどの効果がある。
【図面の簡単な説明】
【図１】本発明の屋根用隅飾り具を製造するための折曲可能な板材からなる屋根用隅飾り具本体の一実施例を示す展開平面図である。
【図２】屋根用隅飾り具本体における一対の上方垂直部と下方突出部の頂点とを結ぶ線上を互いに表面側にそれぞれ折曲し、かつ一対の上方山形状突出部の頂部の延長線上を互いに裏面側にそれぞれ折曲した状態を示す表面図である。
【図３】同裏面図である。
【図４】隅飾り部の係止鈎部を裏面側にそれぞれ重合折曲した状態を示す表面図である。
【図５】同裏面図である。
【図６】中心線部を降り棟の角度に対応する角度に折曲した状態を示す表面図である。
【図７】同正面図である。
【図８】本発明の製造方法により製造した屋根用隅飾り具を寄棟屋根の降り棟に使用した状態を示す斜視図である。
【図９】本発明の製造方法により製造した屋根用隅飾り具を使用して寄棟屋根を施工する第１の手順について説明するための部分説明図である。
【図１０】本発明の製造方法により製造した屋根用隅飾り具を使用して寄棟屋根を施工する第２の手順について説明するための部分説明図である。
【図１１】従来の第１の屋根用隅飾り具を示す展開図である。
【図１２】従来の第２の屋根用隅飾り具を示す組立断面図である。
【図１３】従来の第３の屋根用隅飾り具を示す概略断面図である。
【符号の説明】
１０      屋根用隅飾り具本体
１１      側方突出部
１２      垂直部
１３      下方突出部
１３ａ    下方突出部の頂部
１４      張出部
１５      山形状突出部
１５ａ    山形状突出部の頂部
１６      係止鈎部
１７      隅飾り部
１８      第１係止片部
１９      第２係止片部
２０，２０    第１仮想折曲線
２１，２１    第２仮想折曲線
２２，２２    第３仮想折曲線
２３，２３    第４仮想折曲線
２４      屋根用隅飾り具
２５      隅飾り重合部
２６      中心線部
２７      寄棟屋根
２７ａ    降り棟
２８      屋根下地板
２９      長尺状金属屋根板
２９ａ    エッジ部
３０      屋根取付け金具
【図１】
0003766886.tif 000002
【図２】
0003766886.tif 000003
【図３】
0003766886.tif 000004
【図４】
0003766886.tif 000005
【図５】
0003766886.tif 000006
【図６】
0003766886.tif 000007
【図７】
0003766886.tif 000008
【図８】
0003766886.tif 000009
【図９】
0003766886.tif 000010
【図１０】
0003766886.tif 000011
【図１１】
0003766886.tif 000012
【図１２】
0003766886.tif 000013
【図１３】
0003766886.tif 000014